(57)【要約】      （修正有）【課題】床置型室内機において冷房運転停止後に凝縮水漏れが発生しない空気調和装置を提供する。【解決手段】冷房運転を停止した時点で室内ファン５５ａ１を所定回転数とし、冷房運転を停止した時点から所定時間をかけて室内ファン５５ａ１の回転数を所定の低下率で低下させて、所定時間経過時に室内ファン５５ａ１を停止させることで、空気流入面５１ａ１から空気流出面５１ａ２へ流す空気量を時間をかけて減少させる凝縮水滴下防止制御を行う。これにより、冷房運転中に室内熱交換器５１ａに発生し室内熱交換器５１ａの空気流入面５１ａ１に到達した凝縮水を、冷房運転中と同様にドレンパン５７ａに滴下させる、あるいは、乾燥させることができる。【選択図】図２
2017110856.tif 000002
【特許請求の範囲】
【請求項１】
空気吸込口と空気吹出口を備える筐体内に室内熱交換器と室内ファンを有し、前記室内ファンの回転により前記空気吸込口から前記空気吹出口に向かう空気の流れに対して斜めに前記室内熱交換器が配置される室内機と、
前記室内機に冷媒配管で接続される室外機と、
前記室内熱交換器を凝縮器として機能させて行う冷房運転を終了した時点で前記室内ファンを予め定められた所定回転数とし、冷房運転を終了した時点から前記室内ファンの回転数を前記所定回転数から予め定められた所定の低下率で低下させて前記室内ファンを停止させる凝縮水滴下防止制御を実行する制御手段と、
を有することを特徴とする空気調和装置。
【請求項２】
前記所定回転数は、冷房運転終了時の前記室内ファンの回転数である、
ことを特徴とする請求項１に記載の空気調和装置。
【請求項３】
前記所定の低下率を前記所定回転数に応じて変化させることを特徴とする請求項２に記載の空気調和装置。
【発明の詳細な説明】
【技術分野】
【０００１】
本発明は空気調和装置に関し、より詳細には、室内機からの水漏れを防止できる空気調和装置に関するものである。
【背景技術】
【０００２】
空気調和装置において、室外機に冷媒配管で接続される室内機として床置型室内機が用いられることがある。床置型室内機は、小型のものは空調室のクローゼット等に設置され、大型のものは空調室の外に設置される。床置型室内機は、空気吸込口と空気吹出口を有する筐体を有し、筐体内には室内熱交換器と室内ファンとドレンパンが設けられている。室内熱交換器と室内ファンは、筐体内における空気の流れ方向（空気吸込口から空気吹出口に向かう方向）に室内熱交換器、室内ファンの順で配置されており、室内熱交換器は空気の流れを横切るように斜めに傾けて配置されている。ドレンパンは、空気吸込口を塞がないよう、かつ、冷房運転時に室内熱交換器に発生した凝縮水が受けられるように形成・配置されている（例えば、特許文献１参照）。
【０００３】
床置型室内機の空気吹出口には、一端が空調室の天井面や壁面に開口している吹出ダクトが接続される。また、床置型室内機が大型である場合は、空気吸込口にも一端が空調室の天井面や壁面に開口している吸込ダクトが接続される。空気調和装置が運転を開始すると、室内ファンの回転によって空気吸込口から筐体内に吸い込まれた空調室の空気が室内熱交換器で冷媒と熱交換して冷却あるいは加熱される。室内熱交換器で冷却あるいは加熱された空気は、室内ファンの回転によって空気吹出口から吹出ダクトを介して空調室に吹き出される。このようにして、空調室の冷房あるいは暖房が行われる。
【先行技術文献】
【特許文献】
【０００４】
【特許文献１】特開平１１−３１１４２１号公報
【発明の概要】
【発明が解決しようとする課題】
【０００５】
ところで、上述した床置型室内機において、筐体の底面に空気吸込口が設けられるとともに筐体の天面に空気吹出口が設けられ、筐体内の空気吹出口の近傍に室内ファンが配置されその下方に室内熱交換器が配置されるものがある。このような床置型室内機では、ドレンパンを室内熱交換器の筐体底面を覆うように配置すると、ドレンパンが空気吸込口を塞いでしまう。この場合、ドレンパンは、傾けて配置される室内熱交換器の下端部の直下に配置され、下端部から滴下する凝縮水のみ受けるように形成される。
【０００６】
上記のような構造を有する床置型室内機では、冷房運転を行っているときに室内熱交換器に発生する凝縮水は、室内熱交換器の底面側に臨む面を伝って下方に流れ、室内熱交換器の下端部からドレンパンに滴下する。これは、冷房運転中は室内ファンの回転により空気吸込口から空気吹出口に向かって流れる空気が室内熱交換器の底面側に臨む面から凝縮水が直下に滴下するのを防ぐためであり、空気の流れにより直下に滴下することを妨げられた凝縮水が室内熱交換器の底面側に臨む面を伝って下方に流れるためである。
【０００７】
しかし、冷房運転を終了し室内ファンが停止すれば、空気吸込口から空気吹出口に向かう空気の流れがなくなる。このため、冷房運転終了時に室内熱交換器に発生している凝縮水が、室内熱交換器の底面側に臨む面から直下に滴下する恐れがあり、滴下した凝縮水が室内熱交換器の下方に配置されている空気吸込口から床置型室内機が設置されている床面が漏れる恐れがあった。
【０００８】
本発明は以上述べた問題点を解決するものであって、床置型室内機において冷房運転停止後に凝縮水室内熱交換器から滴下しない空気調和装置を提供することを目的とする。
【課題を解決するための手段】
【０００９】
上記の課題を解決するために、本発明の空気調和装置は、空気吸込口と空気吹出口を備える筐体内に室内熱交換器と室内ファンを有し、室内ファンの回転により空気吸込口から空気吹出口に向かう空気の流れに対して斜めに室内熱交換器が配置される室内機と、室内機に冷媒配管で接続される室外機と、室内熱交換器を凝縮器として機能させる冷房運転を終了した時点で室内ファンを予め定められた所定回転数とし、冷房運転を終了した時点から室内ファンの回転数を所定回転数から予め定められた所定の低下率で低下させて室内ファンを停止させる凝縮水滴下防止制御を実行する制御手段とを有するものである。
【発明の効果】
【００１０】
上記のように構成した本発明の空気調和装置によれば、冷房運転停止時点で室内ファンを所定回転数とし、その後、室内ファンの回転数を所定回転数から所定の低下率で減少させるので、冷房運転停止後に室内熱交換器への空気の流れが徐々に減少する。これにより、室内熱交換器に発生した凝縮水が、室内熱交換器の筐体底面に臨む面から下方へ滴下することを防止できる。
【図面の簡単な説明】
【００１１】
【図１】本発明の実施形態における、空気調和装置の説明図であり、（Ａ）は冷媒回路図、（Ｂ）は室内機制御手段のブロック図である。
【図２】本発明の実施形態における、室内機の構造の説明図である。
【図３】本発明の実施形態における、室内機制御手段が実行する処理を示すフローチャートである。
【発明を実施するための形態】
【００１２】
以下、本発明の実施の形態を、添付図面に基づいて詳細に説明する。実施形態としては、屋外に設置される１台の室外機に、空調室の内部あるいは外部に設置される３台の床置型室内機（以降、必要な場合を除き室内機と記載する）が並列に接続され、全ての室内機で同時に冷房運転あるいは暖房運転が行える空気調和装置を例に挙げて説明する。尚、本発明は以下の実施形態に限定されることはなく、本発明の主旨を逸脱しない範囲で種々変形することが可能である。例えば、３台の室内機のうち１台が床置型室内機であり、残りの２台が壁掛け型や天井埋め込み型等の別形態の室内機であってもよい。また、室外機に接続される室内機が床置型室内機１台であってもよい。
【実施例】
【００１３】
図１（Ａ）に示すように、本実施形態における空気調和装置１は、屋外に設置される１台の室外機２と、建物内であって空調室の内部あるいは外部に設置され、室外機２に液管８およびガス管９で並列に接続された３台の床置型の室内機５ａ〜５ｃを備えている。詳細には、液管８は、一端が室外機２の閉鎖弁２５に、他端が分岐して室内機５ａ〜５ｃの各液管接続部５３ａ〜５３ｃに、それぞれ接続されている。また、ガス管９は、一端が室外機２の閉鎖弁２６に、他端が分岐して室内機５ａ〜５ｃの各ガス管接続部５４ａ〜５４ｃに、それぞれ接続されている。以上により、空気調和装置１の冷媒回路１００が構成されている。
【００１４】
まずは、室外機２について説明する。室外機２は、圧縮機２１と、四方弁２２と、室外熱交換器２３と、室外膨張弁２４と、液管８の一端が接続された閉鎖弁２５と、ガス管９の一端が接続された閉鎖弁２６と、アキュムレータ２８と、室外ファン２７を備えている。そして、室外ファン２７を除くこれら各装置が以下で詳述する各冷媒配管で相互に接続されて、冷媒回路１００の一部をなす室外機冷媒回路２０を構成している。
【００１５】
圧縮機２１は、インバータにより回転数が制御される図示しないモータによって駆動されることで、運転容量を可変できる能力可変型圧縮機である。圧縮機２１の冷媒吐出側は、後述する四方弁２２のポートａに吐出管４１で接続されている。また、圧縮機２１の冷媒吸入側は、アキュムレータ２８の冷媒流出側に吸入管４２で接続されている。
【００１６】
四方弁２２は、冷媒の流れる方向を切り換えるための弁であり、ａ、ｂ、ｃ、ｄの４つのポートを備えている。ポートａは、前述したように圧縮機２１の冷媒吐出側に吐出管４１で接続されている。ポートｂは、室外熱交換器２３の一方の冷媒出入口と冷媒配管４３で接続されている。ポートｃは、アキュムレータ２８の冷媒流入側と冷媒配管４６で接続されている。そして、ポートｄは、閉鎖弁２６と室外機ガス管４５で接続されている。
【００１７】
室外熱交換器２３は、冷媒と、後述する室外ファン２７の回転により室外機２の内部に取り込まれた外気とを熱交換させるものである。室外熱交換器２３の一方の冷媒出入口は、前述したように四方弁２２のポートｂに冷媒配管４３で接続され、他方の冷媒出入口は室外機液管４４で閉鎖弁２５に接続されている。
【００１８】
室外膨張弁２４は、室外機液管４４に設けられている。室外膨張弁２４は電子膨張弁であり、その開度が調整されることで、室外熱交換器２３に流入する冷媒量、あるいは、室外熱交換器２３から流出する冷媒量を調整する。室外膨張弁２４の開度は、空気調和装置１が冷房運転を行っている場合は全開とされる。また、空気調和装置１が暖房運転を行っている場合は、後述する吐出温度センサ３３で検出した圧縮機２１の吐出温度に応じてその開度を制御することで、吐出温度が性能上限値を超えないようにしている。
【００１９】
室外ファン２７は樹脂材で形成されたプロペラファンであり、室外熱交換器２３の近傍に配置されている。室外ファン２７は、図示しない回転数可変のファンモータによって所定の回転数で回転することで図示しない吸込口から室外機２の内部へ外気を取り込み、室外熱交換器２３において冷媒と熱交換した外気を図示しない吹出口から室外機２外部へ放出する。
【００２０】
アキュムレータ２８は、前述したように、冷媒流入側が四方弁２２のポートｃと冷媒配管４６で接続されるとともに、冷媒流出側が圧縮機２１の冷媒吸入側と吸入管４２で接続されている。アキュムレータ２８は、冷媒配管４６からアキュムレータ２８の内部に流入した冷媒をガス冷媒と液冷媒に分離してガス冷媒のみを圧縮機２１に吸入させる。
【００２１】
以上説明した構成の他に、室外機２には各種のセンサが設けられている。図１（Ａ）に示すように、吐出管４１には、圧縮機２１から吐出される冷媒の圧力である吐出圧力を検出する吐出圧力センサ３１と、圧縮機２１から吐出される冷媒の温度を検出する吐出温度センサ３３が設けられている。冷媒配管４６におけるアキュムレータ２８の冷媒流入口近傍には、圧縮機２１に吸入される冷媒の圧力を検出する吸入圧力センサ３２と、圧縮機２１に吸入される冷媒の温度を検出する吸入温度センサ３４が設けられている。
【００２２】
室外機液管４４における室外熱交換器２３と室外膨張弁２４との間には、室外熱交換器２３に流入する冷媒の温度あるいは室外熱交換器２３から流出する冷媒の温度を検出するための熱交温度センサ３５が設けられている。そして、室外機２の図示しない吸込口付近には、室外機２の内部に流入する外気の温度、すなわち外気温度を検出する外気温度センサ３６が設けられている。
【００２３】
次に、３台の室内機５ａ〜５ｃについて、図１および図２を用いて説明する。３台の室内機５ａ〜５ｃは、筐体５６ａ〜５６ｃの内部に、室内熱交換器５１ａ〜５１ｃと、室内膨張弁５２ａ〜５２ｃと、分岐した液管８の他端が接続された液管接続部５３ａ〜５３ｃと、分岐したガス管９の他端が接続されたガス管接続部５４ａ〜５４ｃと、ドレンパン５７ａ〜５７ｃとを備えている。そして、室内ファン５５ａ〜５５ｃおよびドレンパン５７ａ〜５７ｃを除くこれら各装置が以下で詳述する各冷媒配管で相互に接続されて、冷媒回路１００の一部をなす室内機冷媒回路５０ａ〜５０ｃを構成している。
【００２４】
尚、室内機５ａ〜５ｃの構成は全て同じであるため、以下の説明では、室内機５ａの構成についてのみ説明を行い、その他の室内機５ｂ、５ｃについては説明を省略する。図１および図２では、室内機５ａの構成装置に付与した番号の末尾をａからｂあるいはｃに変更したものが、室内機５ａの構成装置と対応する室内機５ｂ、５ｃの構成装置となる。
【００２５】
室内機５ａの筐体５６ａは直方形状を有しており、図２に示す底面５６ａ１および天面５６ａ２とこれらをつなぐ４つの側面（図２ではこのうち２面を描画）で形成されている。底面５６ａ１には空気吸込口５６ａ３が設けられ、天面５６ａ２には空気吹出口５６ａ４が設けられている。そして、筐体５６ａの内部には、空気吸込口５６ａ３から空気吹出口５６ａ４に向かう方向に、室内熱交換器５２ａ、室内ファン５５ａがこの順で配置されている。室内ファン５５ａが回転することによって、空気吸込口５６ａ３から筐体５６ａの内部に取り込まれた空気が空気吹出口５６ａ４に向かって流れ、空気吹出口５６ａ４から吹き出される。尚、室内熱交換器５２ａと室内ファン５５ａの配置順が逆であってもよい。
【００２６】
室内熱交換器５１ａは平板状に形成されており、室内機５ａの設置面（床面）に対して所定の角度（例えば、５０度）に傾けることによって、空気吸込口５６ａ３から空気吹出口５６ａ４に向かう空気の流れを横切るように筐体５６ａの内部に配置されている。このように配置されることで、室内熱交換器５１ａの空気吸込口５６ａ３側の面が空気が流入する空気流入面５１ａ１となり、空気吹出口５６ａ４側の面が空気が流出する空気流出面５１ａ１となる。室内熱交換器５１ａは、冷媒と後述する室内ファン５５ａの回転により空気吸込口５６ａ３から筐体５６ａの内部に取り込まれた空調室の空気を熱交換させるものである。
【００２７】
室内熱交換器５１ａの下端部５１ａ３には室内機液管７１ａの一端が接続されており、室内機液管７１ａの他端は液管接続部５３ａに接続されている。室内熱交換器５１ａの上端部５１ａ４には室内機ガス管７２ａの一端が接続されており、室内機ガス管７２ａの他端はガス管接続部５４ａに接続されている。室内熱交換器５１ａは、室内機５ａが冷房運転を行う場合は蒸発器として機能し、室内機５ａが暖房運転を行う場合は凝縮器として機能する。尚、図２において図示は省略しているが、液管接続部５３ａやガス管接続部５４ａは筐体５６ａの側面に設けられており、液管接続部５３ａやガス管接続部５４ａには各冷媒配管が溶接やフレアナット等により接続されている。
【００２８】
室内膨張弁５２ａは、室内機液管７１ａに設けられている。室内膨張弁５２ａは電子膨張弁であり、室内熱交換器５１ａが蒸発器として機能する場合、その開度は、室内熱交換器５１ａの一方の冷媒出口（ガス管接続部５４ａ側）における冷媒の過熱度が目標過熱度となるように調整される。また、室内熱交換器５１ａが凝縮器として機能する場合、その開度は、室内熱交換器５１ａの他方の冷媒出口（液管接続部５３ａ側）における冷媒の過冷却度が目標過冷却度となるように調整される。ここで、目標過熱度および目標過冷却度は、室内機５ａで十分な暖房能力あるいは冷房能力が発揮されるための冷媒の過熱度および冷媒の過冷却度である。
【００２９】
室内ファン５５ａは、多数の羽根を備えた筒状の羽根車５５ａ２と、羽根車５５ａ２を収容し開口部５５ａ３を備えるケーシング５５ａ１と、羽根車５５ａ２を回転させる図示しない回転数可変のファンモータを備えている。ケーシング５５ａ１と羽根車５５ａ２は各々合成樹脂材で形成されている。室内ファン５５ａは、筐体５６ａの空気吹出口５６ａ４の近傍に配置されており、ケーシング５５ａ１の開口部５５ａ３は空気吹出口５６ａ４の筐体５６ａの内部側に接続されている。尚、空気吹出口５６ａ４の筐体５６ａ外部側には吹出ダクト３００の一端が接続されており、吹出ダクト３００の他端は、空調室の天井面や壁面に設けられた吹出口に接続されている。室内ファン５５ａが回転することで、空気吸込口５６ａ３から筐体５６ａの内部に空気を取り込み、室内熱交換器５１ａにおいて冷媒と熱交換した空気を空気吹出口５６ａ４から吹出ダクト３００を介して空調室へ供給する。
【００３０】
室内熱交換器５１ａの下端部５１ａ３の下方には、冷房運転時に室内熱交換器５１ａに発生する凝縮水を受けるドレンパン５７ａが設けられている。このドレンパン５７ａは合成樹脂材で形成されており、底面と底面の四辺から延びる側面を有し上面が開放された箱型に形成されている。図２に示すように、ドレンパン５７ａは、室内熱交換器５１ａの下端部５１ａ３の下方に空気吸込口５６ａ３を塞がないように配置されている。
【００３１】
以上説明した構成の他に、室内機５ａには各種のセンサが設けられている。室内機液管７１ａにおける室内熱交換器５１ａと室内膨張弁５２ａとの間には、室内熱交換器５１ａに流入あるいは室内熱交換器５１ａから流出する冷媒の温度を検出する液側温度センサ６１ａが設けられている。室内機ガス管７２ａには、室内熱交換器５１ａから流出あるいは室内熱交換器５１ａに流入する冷媒の温度を検出するガス側温度センサ６２ａが設けられている。そして、室内機５ａの図示しない吸込口付近には、室内機５ａ内に流入する室内空気の温度、すなわち吸込温度を検出する吸込温度センサ６３ａが設けられている。
【００３２】
また、室内機５ａには、室内機制御手段５００ａが設けられている。室内機制御手段５００ａは、室内機５ａの図示しない電装品箱に格納されている制御基板に搭載されている。図１（Ｂ）に示すように、室内機制御手段５００ａは、ＣＰＵ５１０ａと、記憶部５２０ａと、通信部５３０ａと、センサ入力部５４０ａを備えている。
【００３３】
記憶部５２０ａは、ＲＯＭやＲＡＭで構成されており、室内機５ａの制御プログラムや各種センサからの検出信号に対応した検出値、室内ファン５５ａの回転数や室内膨張弁５２ａの開度等を記憶している。通信部５３０ａは、室外機２との通信を行うインターフェイスである。センサ入力部５４０ａは、室内機５ａの各種センサでの検出結果を取り込んでＣＰＵ５１０ａに出力する。
【００３４】
ＣＰＵ５１０ａは、前述した室内機５ａの各センサでの検出結果をセンサ入力部５４０ａを介して取り込む。また、ＣＰＵ５１０ａは、室外機２から送信される制御信号を通信部５３０ａを介して取り込む。ＣＰＵ５１０ａは、室外機２に冷房要求能力あるいは暖房要求能力を通信部５３０ａを介して送信する。また、ＣＰＵ５１０ａは、取り込んだ検出結果や制御信号に基づいて、室内ファン５５ａの回転数制御や室内膨張弁５２ａの開度調整を行う。
【００３５】
次に、本実施形態の空気調和装置１が冷房運転を行うときの冷媒回路１００における冷媒の流れや各部の動作について、図１（Ａ）を用いて説明する。尚、空気調和装置１が暖房運転を行うときの冷媒回路１００における冷媒の流れや各部の動作については、本発明に直接関係がないため詳細な説明は省略し、冷房運転時の説明の後に簡単に触れるに留める。
【００３６】
図１（Ａ）に示すように、室内機５ａ〜５ｃが冷房運転を行う場合、四方弁２２が実線で示す状態、すなわち、四方弁２２のポートａとポートｂとが連通するよう、また、ポートｃとポートｄとが連通するよう、切り換えられる。これにより、冷媒回路１００を冷媒が破線矢印で示す方向に循環するようになり、室外熱交換器２３が凝縮器として機能するとともに室内熱交換器５１ａ〜５１ｃが蒸発器として機能する。
【００３７】
圧縮機２１から吐出された高圧の冷媒は、吐出管４１を流れて四方弁２２に流入し、四方弁２２から冷媒配管４３を流れて室外熱交換器２３に流入する。室外熱交換器２３に流入した冷媒は、室外ファン２７の回転により室外機２の内部に取り込まれた外気と熱交換を行って凝縮する。室外熱交換器２３から流出した冷媒は室外機液管４４を流れ、全開とされている室外膨張弁２４および閉鎖弁２５を介して液管８に流出する。
【００３８】
液管８を流れ液管接続部５３ａ〜５３ｃを介して各室内機５ａ〜５ｃに流入した冷媒は、室内機液管７１ａ〜７１ｃを流れ、室内膨張弁５２ａ〜５２ｃを通過するときに減圧されて低圧の冷媒となる。室内機液管７１ａ〜７１ｃから室内熱交換器５１ａ〜５１ｃに流入した冷媒は、室内ファン５５ａ〜５５ｃの回転により空気吸込口５６ａ３〜５６ｃ３から室内機５ａ〜５ｃの内部に取り込まれた空調室の空気と熱交換を行って蒸発する。このように、室内熱交換器５１ａ〜５１ｃが蒸発器として機能し、室内熱交換器５１ａ〜５１ｃで冷媒と熱交換を行った空気が空気吹出口５６ａ４〜５６ｃ４から吹出ダクト３００を介して空調室に吹き出されることによって、空調室の冷房が行われる。
【００３９】
室内熱交換器５１ａ〜５１ｃから流出した冷媒は室内機ガス管７２ａ〜７２ｃを流れガス管接続部５４ａ〜５４ｃを介してガス管９に流出する。ガス管９を流れ閉鎖弁２６を介して室外機２に流入した冷媒は、室外機ガス管４５、四方弁２２、吸入管４２を流れ、圧縮機２１に吸入されて再び圧縮される。
【００４０】
尚、室内機５ａ〜５ｃが暖房運転を行う場合、四方弁２２が破線で示す状態、すなわち、四方弁２２のポートａとポートｄとが連通するよう、また、ポートｂとポートｃとが連通するよう、切り換えられる。これにより、冷媒回路１００を冷媒が、圧縮機２１と四方弁２２の間を除いて冷房運転時の冷媒の流れ方向と逆の方向に循環するようになり、室外熱交換器２３が蒸発器として機能するとともに室内熱交換器５１ａ〜５１ｃが凝縮器として機能する。
【００４１】
空気調和装置１が上述した冷房運転を行っているとき、凝縮器として機能する室内熱交換器５１ａ〜５１ｃでは凝縮水が発生する。発生した凝縮水は、重力によって室内熱交換器５１ａ〜５１ｃの空気流入面５１ａ１〜５１ｃ１に到達する。一方、図２に示すように、冷房運転中は室内ファン５５ａ〜５５ｃの回転によって空気吸込口５６ａ３〜５６ｃ３から筐体５６ａ〜５６ｃの内部に流入した空気が、室内熱交換器５１ａ〜５１ｃの空気流入面５１ａ１〜５１ｃ１から空気流出面５１ａ２〜５１ｃ２へと流れる。
【００４２】
従って、室内熱交換器５１ａ〜５１ｃの空気流入面５１ａ１〜５１ｃ１に到達し重力によって空気流入面５１ａ１〜５１ｃ１から下方（空気吸込口５６ａ３〜５６ｃ３側）に滴下しようとする凝縮水は、室内熱交換器５１ａ〜５１ｃを空気流入面５１ａ１〜５１ｃ１から空気流出面５１ａ２〜５１ｃ２へと通過する空気によって滴下を阻まれ、空気流入面５１ａ１〜５１ｃ１を伝って室内熱交換器５１ａ〜５１ｃの下端部５１ａ３〜５１ｃ３に向かって流れる。そして、下端部５１ａ３〜５１ｃ３からドレンパン５７ａ〜５７ｃに滴下する。つまり、冷房運転中は室内ファン５５ａ〜５５ｃの回転によって、室内熱交換器５１ａ〜５１ｃの空気流入面５１ａ１〜５１ｃ１から凝縮水が滴下することが防がれている。
【００４３】
しかし、冷房運転を停止すると室内ファン５５ａ〜５５ｃも停止するので、室内熱交換器５１ａ〜５１ｃを空気流入面５１ａ１〜５１ｃ１から空気流出面５１ａ２〜５１ｃ２へと通過する空気の流れがなくなる。これによって、冷房運転中に室内熱交換器５１ａ〜５１ｃに発生し室内熱交換器５１ａ〜５１ｃの空気流入面５１ａ１〜５１ｃ１に到達した凝縮水が、下方に滴下して空気吸込口５６ａ３〜５６ｃ３から床面へ滴下するので、冷房運転を停止すると室内機５ａ〜５ｃから凝縮水が空調室の床面に漏れる恐れがあった。
【００４４】
そこで、本発明では、冷房運転を停止した時点で室内ファン５５ａ１〜５５ｃ１を所定回転数とし、冷房運転を停止した時点から室内ファン５５ａ１〜５５ｃ１の回転数を所定回転数から所定の低下率で低下させて室内ファン５５ａ１〜５５ｃ１を停止させることで、空気流入面５１ａ１〜５１ｃ１から空気流出面５１ａ２〜５１ｃ２へ流す空気量を時間をかけて減少させる凝縮水滴下防止制御を行う。凝縮水滴下防止制御を行うことで、冷房運転中に室内熱交換器５１ａ〜５１ｃに発生し室内熱交換器５１ａ〜５１ｃの空気流入面５１ａ１〜５１ｃ１に到達した凝縮水を、冷房運転中と同様にドレンパン５７ａ〜５７ｃに滴下させる、あるいは、乾燥させることができるので、凝縮水が室内熱交換器５１ａ〜５１ｃから下方に滴下して空気吸込口５６ａ３〜５６ｃ３から床面へ滴下することを防ぐことができる。
【００４５】
ここで、凝縮水滴下防止制御を行うときの室内ファン５５ａ１〜５５ｃ１の回転数である所定回転数（以降、所定回転数Ｒｐと記載）と、所定回転数Ｒｐから減少させる際の所定の低下率（以降、所定の低下率Ｒｒと記載）は、それぞれ試験等を行って予め求められて室内機制御手段５００ａ〜５００ｃの記憶部５２０ａ〜５２０ｃに記憶されている数値である。これらの数値は、冷房運転停止時に室内ファン５５ａ１〜５５ｃ１を所定回転数Ｒｐ（例えば、５００ｒｐｍ）とし、その後、所定の低下率Ｒｒ（例えば、１００ｒｐｍ／分）で回転数を減少すると、室内熱交換器５１ａ〜５１ｃに最大量の凝縮水が発生した場合であっても、室内熱交換器５１ａ〜５１ｃからの凝縮水の滴下を防ぐことができることが確認されている数値である。
【００４６】
次に、上述した凝縮水滴下防止制御を行う際の処理について、図３を用いて説明する。図３は、室内機制御手段５００ａ〜５００ｃのＣＰＵ５１０ａ〜５１０ｃが冷房運転時に行う制御に関する処理の流れを示している。図３に示すフローチャートにおいて、ＳＴはステップを表しこれに続く数字はステップ番号を表している。尚、このフローチャートでは、本発明に関わる処理を中心に説明しており、これ以外の処理、例えば、設定温度と室内温度の温度差に応じた圧縮機２１の回転数制御や、冷媒温度に応じた室外膨張弁２４や各室内膨張弁５２ａ〜５２ｃの開度制御等、空気調和装置１に関わる一般的な処理については、説明を省略する。
【００４７】
空気調和装置１が運転を開始すると、ＣＰＵ５１０ａ〜５１０ｃは、使用者が図示しない室内機５ａ〜５ｃのリモコンを用いる等の手段により冷房運転を指示したか否かを判断する（ＳＴ１）。冷房運転の指示であれば（ＳＴ１−Ｙｅｓ）、ＣＰＵ２１０は、冷房運転開始処理を行い（ＳＴ２）、その後冷房運転制御を実行する（ＳＴ３）。
【００４８】
ここで、冷房運転開始処理とは、ＣＰＵ５１０ａ〜５１０ｃが冷房運転を行うことを通信部５３０ａ〜５３０ｃを介して室外機２に送信し、これを受けた室外機２が、四方弁２２を操作して冷媒回路１００を図１（Ａ）に示す状態、つまり、冷媒回路１００を冷房サイクルとすることであり、最初に冷房運転を行うときに実行される処理である。
【００４９】
また、冷房運転制御とは、ＣＰＵ５１０ａ〜５１０ｃが使用者による冷房要求能力に応じて室内ファン５５ａ〜５５ｃの回転数制御や室内膨張弁５２ａ〜５２ｃの開度調整を行うとともに、冷房要求能力を通信部５３０ａ〜５３０ｃを介して室外機２に送信する。冷房要求能力を受信した室外機２が圧縮機２１や室外ファン２７を受信した冷房要求能力に応じた回転数で駆動するよう制御することである。
【００５０】
上記のように冷房運転制御を行っているとき、ＣＰＵ５１０ａ〜５１０ｃは、使用者による運転切替指示があるか否かを判断する（ＳＴ４）。ここで、運転切替指示とは、冷房運転から暖房運転へ切り替える、あるいは、暖房運転から冷房運転へ切り替えることである。運転切替指示があれば（ＳＴ４−Ｙｅｓ）、ＣＰＵ５１０ａ〜５１０ｃは、ＳＴ１に処理を戻す。運転切替指示がなければ（ＳＴ４−Ｎｏ）、ＣＰＵ５１０ａ〜５１０ｃは、使用者による運転停止指示があるか否かを判断する（ＳＴ５）。
【００５１】
運転停止指示がなければ（ＳＴ５−Ｎｏ）、ＣＰＵ５１０ａ〜５１０ｃは、現在の運転が冷房運転であるか否かを判断する（ＳＴ１３）。現在の運転が冷房運転であれば（ＳＴ１３−Ｙｅｓ）、ＣＰＵ５１０ａ〜５１０ｃは、ＳＴ３に処理を戻し、現在の運転が冷房運転でなければ（ＳＴ１３−Ｎｏ）、ＣＰＵ２１０は、ＳＴ１４に処理を戻す。
【００５２】
運転停止指示があれば（ＳＴ５−Ｙｅｓ）、ＣＰＵ５１０ａ〜５１０ｃは、室内膨張弁５２ａ〜５２ｃを閉じ（ＳＴ６）、ＳＴ５で運転停止指示があるまで冷房運転を行っていたか否かを判断する（ＳＴ７）。
【００５３】
冷房運転を行っていたのでなければ（ＳＴ７−Ｎｏ）、つまり、暖房運転を行っていたのであれば、ＣＰＵ５１０ａ〜５１０ｃは、室内ファン５５ａ〜５５ｃを停止して（ＳＴ１２）、処理を終了する。冷房運転を行っていたのであれば（ＳＴ７−Ｙｅｓ）、ＣＰＵ５１０ａ〜５１０ｃは、室内ファン５５ａ〜５５ｃの回転数を所定回転数Ｒｐとし、その後、所定の低下率Ｒｒで室内ファン５５ａ〜５５ｃの回転数を減少させる（ＳＴ８）。
【００５４】
次に、ＣＰＵ５１０ａ〜５１０ｃは、室内ファン５５ａ〜５５ｃの回転数が０となったか否かを判断する（ＳＴ９）。回転数が０となっていなければ（ＳＴ９−Ｎｏ）、ＣＰＵ５１０ａ〜５１０ｃは、ＳＴ９に処理を戻し、継続して所定の低下率Ｒｒで室内ファン５５ａ〜５５ｃの回転数を減少させる。
【００５５】
ＳＴ９において、回転数が０となっていれば（ＳＴ９−Ｙｅｓ）、ＣＰＵ５１０ａ〜５１０ｃは、処理を終了する。尚、以上説明したＳＴ８とＳＴ９の処理が、本発明の凝縮水滴下防止制御に関わる処理である。
【００５６】
尚、ＳＴ１において、冷房運転指示でなければ（ＳＴ１−Ｎｏ）、つまり、暖房運転指示である場合は、ＣＰＵ５１０ａ〜５１０ｃは、暖房運転開始処理を行い（ＳＴ１０）、その後暖房運転制御を実行して（ＳＴ１１）、ＳＴ４に処理を進める。
【００５７】
ここで、暖房運転開始処理とは、ＣＰＵ５１０ａ〜５１０ｃが暖房運転を行うことを通信部５３０ａ〜５３０ｃを介して室外機２に送信し、これを受けた室外機２が四方弁２２を操作して冷媒回路１００を暖房サイクルとすることであり、最初に暖房運転を行うときに実行される処理である。
【００５８】
また、暖房運転制御とは、ＣＰＵ５１０ａ〜５１０ｃが使用者による暖房要求能力に応じて室内ファン５５ａ〜５５ｃの回転数制御や室内膨張弁５２ａ〜５２ｃの開度調整を行うとともに、暖房要求能力を通信部５３０ａ〜５３０ｃを介して室外機２に送信する。暖房要求能力受信した室外機２が圧縮機２１や室外ファン２７を受信した暖房要求能力に応じた回転数で駆動するよう制御することである。
【００５９】
以上説明したように、本発明の空気調和装置１では、冷房運転を停止した時点で室内ファン５５ａ〜５５ｃを所定回転数Ｒｐとし、その後、所定の低下率Ｒｒで室内ファン５５ａ〜５５ｃの回転数を低下させて室内ファン５５ａ〜５５ｃを停止することで、空気流入面５１ａ１〜５１ｃ１から空気流出面５１ａ２〜５１ｃ２へ流す空気量を時間をかけて減少させる凝縮水滴下防止制御を行う。これにより、冷房運転中に室内熱交換器５１ａ〜５１ｃに発生し室内熱交換器５１ａ〜５１ｃの空気流入面５１ａ１〜５１ｃ１に到達した凝縮水を、ドレンパン５７ａ〜５７ｃに滴下させる、あるいは、乾燥させることができ、凝縮水が室内熱交換器５１ａ〜５１ｃから下方に滴下して空気吸込口５６ａ３〜５６ｃ３から床面へ滴下することを防ぐことができる。また、本発明の凝縮水滴下防止制御では、冷房運転停止後に所定の低下率Ｒｒで室内ファン５５ａ〜５５ｃの回転数を低下させるので、運転を停止させたにも関わらず室内ファン５５ａ〜５５ｃの回転により送風されることや室内ファン５５ａ〜５５ｃの回転音が聞こえるといった、使用者が感じる違和感が緩和される。
【００６０】
尚、以上説明した実施形態では、所定回転数として予め試験等を行って定められた所定回転数Ｒｐを用いる場合を説明したが、冷房運転終了時点での室内ファン５５ａ〜５５ｃの回転数を所定回転数としてもよい。これにより、図３のフローチャートにおけるＳＴ８の処理において、室内ファン５５ａ〜５５ｃの回転数を予め定められた所定回転数Ｒｐとする制御が不要となるので、ＣＰＵ５１０ａ〜５１０ｃの負担を軽減できる。
【００６１】
また、上記のように、冷房運転終了時点での室内ファン５５ａ〜５５ｃの回転数を所定回転数とする場合は、予め定められた所定の低下率Ｒｒの代わりに、所定回転数に応じて所定の低下率を変化させることで、室内ファン５５ａ〜５５ｃの回転数を所定回転数から０まで低下させる時間、つまり、冷房運転終了時点から開始する凝縮水滴下防止制御の実行時間を、所定回転数に関わらず一定としてもよい。これにより、冷房運転終了時点から室内ファン５５ａ〜５５ｃが回転する時間が一定となるので、凝縮水の滴下を防止しつつ使用者が感じる違和感を低減できる。
【符号の説明】
【００６２】
１  空気調和装置
２  室外機
５ａ〜５ｃ  室内機
５１ａ〜５１ｃ  室内熱交換器
５１ａ１〜５１ｃ１  空気流入面
５１ａ２〜５１ｃ２  空気流出面
５１ａ３〜５１ｃ３  下端部
５１ａ４〜５１ｃ４  上端部
５２ａ〜５２ｃ  室内膨張弁
５５ａ〜５５ｃ  室内ファン
５５ａ３〜５５ｃ３  開口部
５６ａ〜５６ｃ  筐体
５６ａ１〜５６ｃ１  底面
５６ａ２〜５６ｃ２  天面
５６ａ３〜５６ｃ３  空気吸込口
５６ａ４〜５６ｃ４  空気吹出口
５７ａ〜５７ｃ  ドレンパン
７１ａ〜７１ｃ  室内機液管
７２ａ〜７２ｃ  室内機ガス管
３００  吹出ダクト
５００ａ〜５００ｃ  室内機制御部
５１０ａ〜５１０ｃ  ＣＰＵ
５２０ａ〜５２０ｃ  記憶部
Ｒｐ  所定回転数
Ｒｒ  所定の低下率
ｔｐ  所定時間
【図１】
2017110856.tif 000003
【図２】
2017110856.tif 000004
【図３】
2017110856.tif 000005